(57)【要約】【課題】  高速の通信データ処理と高精細の画像表示処理を行い、更に消費電力を低減すると共に、画像表示処理用のサブＣＰＵ立ち上がり時のユーザビリティを向上することができる情報通信端末の制御方法および情報通信端末を提供する。【解決手段】  情報通信端末のホストシステム部１０は、基地局から送信される音声着信Ｓ１を受信すると、電源オンコマンドＳ２等を送出する。サブシステム部３０の電源がオンになると、サブＣＰＵ３１は、能動状態となり、初期化処理と並行して、操作ガイド等の初期表示および初期表示切替Ｓ３４を行う。この初期表示切替には、ホストシステム部１０から送信されるキーコマンドＳ９に対応した切り替え表示が行われる。メモリ初期設定Ｓ３５が終了すると、通常表示Ｓ３８に移行する。次に、表示ＯＦＦ条件が発生すると、ホストシステム部１０は、電源オフコマンドＳ１５を送出し、サブシステム電源ＯＦＦ（Ｓ３９）となる。【選択図】  図２
2005269018.tif 000002
【特許請求の範囲】
【請求項１】
移動通信システムの基地局との無線通信部の制御等を行うホストシステム部と、このホストシステム部に接続されて主表示器の画像表示処理等を行うサブシステム部とを有する折り畳み構造を有する情報通信端末の制御方法であって、
前記ホストシステム部は、
前記基地局から送信される音声着信信号、又は音声着信イベントを受信し、前記サブシステム部の電源をオンにし、折り畳み蓋の蓋開けを検出し、操作キーを検出して、操作キーに対応するキーコマンドを前記サブシステム部へ送出し、前記主表示器の表示をオフにする条件で前記サブシステム部の電源をオフにし、
前記サブシステム部は、当該サブシステム部電源オン後の初期化処理を行いながら、前記音声着信に対応する操作ガイダンスを前記主表示器に初期表示し、前記初期化処理が終了後、前記主表示器に通常表示を行う
ことを特徴とする情報通信端末の制御方法。
【請求項２】
前記ホストシステム部は、ホストＣＰＵとホストシステムバスを有し、
前記サブシステム部は、サブＣＰＵとサブシステムバスとＲＡＭを有することを特徴とする請求項１に記載の情報通信端末の制御方法。
【請求項３】
移動通信システムの基地局との無線通信部の制御等を行うホストシステム部と、このホストシステム部に接続されて主表示器の画像表示処理等を行うサブシステム部とを有する折り畳み構造を有する情報通信端末であって、
前記ホストシステム部は、
前記基地局から送信される音声着信信号、又は音声着信イベントを受信する通信手段と、
前記サブシステム部の電源を制御する電源制御手段と、
折り畳み蓋の蓋開けおよび操作キーを検出する検出手段と、
前記操作キーを検出して操作キーに対応するキーコマンドを前記サブシステム部へ送出し、前記主表示器の表示をオフにする条件で前記サブシステム部の電源をオフにするインタフェース制御手段とを具備し、
前記サブシステム部は、
当該サブシステム部電源オン後の初期化処理を行いながら、前記音声着信に対応する操作ガイダンスを前記主表示器に初期表示する初期表示制御手段と、
前記初期化処理が終了後、前記主表示器に通常表示を行う通常表示制御手段とを
具備する
ことを特徴とする情報通信端末。
【請求項４】
前記ホストシステム部は、ホストＣＰＵとホストシステムバスを有し、
前記サブシステム部は、サブＣＰＵとサブシステムバスとＲＡＭを有することを特徴とする請求項３に記載の情報通信端末。
【発明の詳細な説明】
【技術分野】
【０００１】
本発明は、高速の通信データ処理と高精細の画像表示処理を行うと共に、低消費電力を維持することができる情報通信端末に関するもので、特に、マルチＣＰＵ構成にあって、サブＣＰＵ立ち上がり時のユーザビリティを向上することができる情報通信端末の制御方法および情報通信端末に関する。
【背景技術】
【０００２】
（従来例１）
ホストＣＰＵが通信データ処理を行い、これとは分散して、サブＣＰＵが画像表示処理を行う情報通信端末がある。この分散処理により、高速の通信データ処理と高精細の画像表示処理を並行して行うことができる。また、サブＣＰＵとサブＣＰＵがアクセスするＲＡＭへの電源供給は常時行われているために、サブＣＰＵ自体の初期化処理は、情報通信端末の電源オン時の１回のみ行えばよい。従って、画像表示が必要となるイベントが発生した時には初期化処理は不要であり、イベントに関連した画像表示を即行うことができる。
【０００３】
（従来例２）
省エネルギーのための電源制御を可能としたＰＣＩシステムがある（例えば、特許文献１参照。）。  この特許文献１のＰＣＩシステムを適用したプリンタ装置は、プリンタコントローラボード、スキャナコントローラボード、ＰＣマザーボード等から構成される。これらの各ボードは、独立した内部ローカルバス、ＣＰＵ、メモリ、Ｉ／Ｏ等を備える。また、各ボードは、各ボードの電源制御を行う電源制御ＬＳＩを備える。そして、ＰＣマザーボードのホストＣＰＵは、各ボードの電源制御ＬＳＩを制御して、各ボードの電源制御を行って省エネルギーを実現している。
【特許文献１】特開２００３−３４５４６６号公報（第２〜４頁、図２）
【発明の開示】
【発明が解決しようとする課題】
【０００４】
従来例１の情報通信端末にあっては、サブＣＰＵとサブＣＰＵがアクセスするＲＡＭへの電源供給が常時行われているために、消費電力が大きく、電池の使用時間が短いという問題があった。
【０００５】
従来例２の特許文献１に開示されたプリンタ装置にあっては、例えば、プリンタコントローラボードの電源がオンとなった時の当該プリンタコントローラボードのＣＰＵの初期化処理に関する記載がない。この初期化処理はかなりの時間を必要とし、その間、当該ボードの本来の機能である印刷機能を実行することができずに、ユーザは不安感や不便を強いられるという問題があった。
【０００６】
本発明は、上記の問題点を解決するためになされたもので、高速の通信データ処理と高精細の画像表示処理を行い、更に消費電力を低減すると共に、画像表示処理用のサブＣＰＵ立ち上がり時のユーザビリティを向上することができる情報通信端末の制御方法および情報通信端末を提供することを目的とする。
【課題を解決するための手段】
【０００７】
上記目的を達成するために、本発明の情報通信端末の制御方法は、移動通信システムの基地局との無線通信部の制御等を行うホストシステム部と、このホストシステム部に接続されて主表示器の画像表示処理等を行うサブシステム部とを有する折り畳み構造を有する情報通信端末の制御方法であって、前記ホストシステム部は、前記基地局から送信される音声着信信号、又は音声着信イベントを受信し、前記サブシステム部の電源をオンにし、折り畳み蓋の蓋開けを検出し、操作キーを検出して、操作キーに対応するキーコマンドを前記サブシステム部へ送出し、前記主表示器の表示をオフにする条件で前記サブシステム部の電源をオフにし、前記サブシステム部は、当該サブシステム部電源オン後の初期化処理を行いながら、前記音声着信に対応する操作ガイダンスを前記主表示器に初期表示し、前記初期化処理が終了後、前記主表示器に通常表示を行うことを特徴とする。
【０００８】
また、本発明の情報通信端末は、移動通信システムの基地局との無線通信部の制御等を行うホストシステム部と、このホストシステム部に接続されて主表示器の画像表示処理等を行うサブシステム部とを有する折り畳み構造を有する情報通信端末であって、前記ホストシステム部は、前記基地局から送信される音声着信信号、又は音声着信イベントを受信する通信手段と、前記サブシステム部の電源を制御する電源制御手段と、折り畳み蓋の蓋開けおよび操作キーを検出する検出手段と、前記操作キーを検出して操作キーに対応するキーコマンドを前記サブシステム部へ送出し、前記主表示器の表示をオフにする条件で前記サブシステム部の電源をオフにするインタフェース制御手段とを具備し、前記サブシステム部は、当該サブシステム部電源オン後の初期化処理を行いながら、前記音声着信に対応する操作ガイダンスを前記主表示器に初期表示する初期表示制御手段と、前記初期化処理が終了後、前記主表示器に通常表示を行う通常表示制御手段とを具備することを特徴とする。
【発明の効果】
【０００９】
本発明によれば、高速の通信データ処理と高精細の画像表示処理を行い、更に消費電力を低減すると共に、主表示器の画像処理用のサブＣＰＵ立ち上がり時のユーザビリティを向上することが可能となる。
【発明を実施するための最良の形態】
【００１０】
以下、本発明の実施例を、図面を参照して説明する。
【実施例】
【００１１】
図１〜図３は、本発明を折り畳み式の情報通信端末に適用した実施例を示し、図１は折り畳み式の情報通信端末の構成を示すブロック図、図２は折り畳み式の情報通信端末の動作を示すフローチャート、図３は折り畳み式の情報通信端末の主表示器の初期画面を示す図である。
【００１２】
図１は、折り畳み式の情報通信端末の構成を示すブロック図である。情報通信端末の主要部は、情報通信端末の主制御を行うホストシステム部１０と、折り畳み式の情報通信端末の筐体が開かれた時に表示面が表れる主表示器の画面データ作成処理等の画像処理を行うサブシステム部３０などにより構成されている。  
なお、折り畳み式の筐体の構造は、折り畳み構造に更に回転機構を有する構造であってもよい。
【００１３】
ホストシステム部１０は、ホストＣＰＵ１１、このホストＣＰＵ１１が管理するホストシステムバス１２、このホストシステムバス１２に接続されるモデム部１３、ＲＡＭ１４、副表示部１５などを備える。副表示部１５は、折り畳まれた状態の情報通信端末の外面に配置される副表示手段である。ホストＣＰＵ１１には、割込みコントローラ１６、ＲＯＭ１７が接続される。また、サブシステム部３０とのインタフェースであるホストインタフェース１８、サブシステム電源制御部１９、照明パネル制御回路２０、主表示器用の照明パネルドライバ２１を備える。
【００１４】
サブシステム部３０は、主表示器の画面データ作成処理等の画像処理を行う。このサブシステム部３０は、サブシステム電源制御部１９により電源のオンオフ制御が行われて、サブシステム部３０への電源供給が制御される。
【００１５】
サブシステム部３０は、サブＣＰＵ３１、このサブＣＰＵ３１が管理するサブシステムバス３２、このサブシステムバス３２に接続されるＢｉｔｂｌｔ（演算機能付データ転送回路）３３、ＲＯＭ３４、ＲＡＭ３５、ＶＲＡＭ３６などを備える。
【００１６】
次に、概略動作について説明する。ホストシステム部１０において、ホストＣＰＵ１１とＲＯＭ１７とは、ホストシステムバス１２を経由しないで直接接続されているため、インストラクションデータは、ホストシステムバス１２上を流れないで、ホストシステムバス１２の混雑を緩和している。  
筐体開閉検出信号１６ａは、情報通信端末の折り畳み部の蓋開け検出スイッチ（図示せず）の出力信号である。キー検出信号１６ｂは、情報通信端末の操作キー（図示せず）の出力信号である。これらは、ユーザ操作により発生し、割込みコントローラ１６へ出力される。割込みコントローラ１６は、ホストＣＰＵ１１に対して割込みを掛ける。ホストＣＰＵ１１は、割込みを受けると、ユーザ操作にリアルタイムに対応した割込み処理を実行する。  
モデム部１３は、移動通信システムの基地局（図示せず）との通信データの変調復調処理を行う。通信データは、ホストＣＰＵ１１の管理の下、ホストシステムバス１２上を流れる。ＲＡＭ１４は、各種データのバッファとして使用される。また、ホストＣＰＵ１１は、副表示部１５に対して、表示データ等の処理を行う。  
このように、ホストシステムバス１２上には、通信データ、サブ表示用の画像データ等しか流れないため、高速の通信データを処理することができる。
【００１７】
ホストシステム部１０のホストＣＰＵ１１は、情報通信端末の主表示器の表示を行うイベント、例えば、筐体開イベントや基地局からの音声着信イベントが発生すると、ホストインタフェース１８へ、サブシステム部３０の電源をオンにするコマンド、および主表示器の照明パネルをオンにするコマンドを送出する。ホストインタフェース１８は、これをデコードして、サブシステム電源制御部１９、照明パネル制御回路２０へ送出する。サブシステム電源制御部１９は、サブシステム部３０の電源をオンにする。照明パネル制御回路２０は、主表示器用の照明パネルドライバ２１をオンにする。
【００１８】
次に、サブシステム部３０の概略動作について説明する。サブＣＰＵ３１は、ＲＯＭ３４に格納されているインストラクションにより動作する。ＲＡＭ３５は、主表示器の画面データの途中および最終データを格納する用途や、サブＣＰＵ３１のインストラクション実行用等のバッファとして使用される。この主表示器の画面データは、高精細で、且つ、複数のアプリケーションの数だけ必要であり、ＲＡＭ３５の容量は大きい。  
このＲＡＭ３５の容量が大きいために、ＲＡＭ３５へのアクセスがない静的状態の時でもＲＡＭ３５の消費電流はリーク電流のために大きい。  
また、このＲＡＭ３５に対して、サブＣＰＵ３１は、主表示器の画面データを作成して格納するが、主表示器の画面データが多いために時間を要する。  
Ｂｉｔｂｌｔ３３は、ＲＡＭ３５に格納された主表示器の画面データを高速でＶＲＡＭ３６に転送することにより、この画面データが主表示器に表示される。
【００１９】
このように、ホストシステム部１０のホストシステムバス１２とは分離されたサブシステムバス３２上には、主表示器の画面データが流れる。これにより、情報通信端末として、高速の通信データと主表示器の高精細な画面データとを並行して処理する。また、消費電流の大きいサブＣＰＵ３１やＲＡＭ３５を有するサブシステム部３０に対して、主表示器の表示が必要な時に電源オンとし、主表示器の表示が不要な時に電源オフとすることにより、サブＣＰＵ３１やＲＡＭ３５のリーク電流も含めた消費電流を抑えることができる。
【００２０】
なお、ホストシステム部１０とサブシステム部３０の構成要素は、実施例の構成に限定されない。ホストシステム部１０として、ホストＣＰＵ１１とホストシステムバス１２を備え、サブシステム部３０として、サブＣＰＵ３１、サブシステムバス３２を備える構成であればよい。例えば、図示しない別のサブシステム部でモデム部１３を構成して、この別サブシステム部が無線通信部として無線通信制御を行い、ホストシステム部１０は、この無線通信部との間で音声着信イベントなどのイベントとデータの送受を行ってもよい。
【００２１】
次に、折り畳み式の情報通信端末の動作について、フローチャートおよび主表示器の表示画面で説明する。  
図２は、折り畳み式の情報通信端末の動作を示すフローチャートである。  
図３は、主表示器の初期画面を示す図である。図２および図３を用いて動作を説明する。  情報通信端末のホストシステム部１０は、基地局から送信される音声着信Ｓ１を受信すると、ホストインタフェース１８に対して、電源オンコマンドＳ２、照明オンコマンドＳ３、パネルドライバＯＮコマンドＳ４、初期化コマンドＳ５を送出する。初期化コマンドＳ５は、サブシステム部３０の電源オン要因等を表す情報であり、この場合は、「音声着信があった」ことを表す情報である。また、ホストシステム部１０は、着信音を鳴動して（Ｓ６）、ユーザに報知する。  
電源オンコマンドＳ２により、サブシステム電源制御部１９は、サブシステム部３０の電源をオンにする（Ｓ３１）。また、照明オンコマンドＳ３およびパネルドライバＯＮコマンドＳ４により、照明パネル制御回路２０は、照明パネルドライバ２１をオンにする。
【００２２】
サブシステム部３０の電源がオンになると、サブＣＰＵ３１は、能動状態となり、ＲＯＭ３４に内蔵されている初期化プログラムをブートし（Ｓ３２）、以下の初期化処理を実行する。まず、Ｂｉｔｂｌｔ３３等の周辺回路の初期設定を行う（Ｓ３３）。
【００２３】
次に、サブシステム部３０の電源オン後の初期画面データをＶＲＡＭ３６に書き込み、これにより主表示器に初期表示画面が表示される（Ｓ３４）。  
これと並行して、ＲＡＭ３５等のメモリ初期設定を行う（Ｓ３５）。これは、初期化終了後に主表示器の画面に表示される通常表示（Ｓ３８）用の画面データを一旦、ＲＡＭ３５に作成する処理であり、高精細で、且つ、複数のアプリケーションの数だけ必要なために、長い時間を要する。このメモリ初期設定（Ｓ３５）が終わらないと次の詳細な表示である通常表示（Ｓ３８）を行うことができない。
【００２４】
このメモリ初期設定（Ｓ３５）期間中の主表示器の初期表示（Ｓ３４）について、図３も用いて、次に説明する。
【００２５】
図３（ａ）は、音声着信後の最初の初期画面である。サブＣＰＵ３１は、メモリ初期設定（Ｓ３５）中であることを示すユーザに対するメッセージ４１「画面初期化中」の初期画面データをＶＲＡＭ３６（図１）に書き込む。また、メモリ初期設定（Ｓ３５）の進捗状況を示すプログレスバー４２の初期画面データをＶＲＡＭ３６に書き込む。また、音声着信中であることを示すユーザに対するメッセージ４３「着信です」の初期画面データをＶＲＡＭ３６に書き込む。また、音声着信に対応する操作ガイダンス４４の電話機マークと「応答する」、および操作ガイダンス４５のＦマークと「留守選択」の初期画面データをＶＲＡＭ３６に書き込む。これにより、主表示器には初期画面として、まず、図３（ａ）の画面が表示される。このプログレスバー４２のハッチング部分は、メモリ初期設定（Ｓ３５）の進捗状況により、増えていく。  
この初期画面の表示内容は簡単な内容であり、データ量が少なくて時間をかけずに短時間でＶＲＡＭ３６に書き込まれて主表示器に表示される。
【００２６】
一方、ホストシステム部１０は、着信音を鳴動して（Ｓ６）ユーザに報知した後は、ユーザ操作に関係した蓋開けチェックＳ７と操作キーチェックＳ８を行う。この時、ユーザは、着信音（Ｓ６）を聞いて、折り畳み式情報通信端末の蓋を開け、更に主表示器の操作ガイダンスを見て、例えば、音声着信に対して「応答する」の電話マークのキー操作を行ったとする。ホストシステム部１０は、これにより、キーコマンド（Ｓ９）として「応答する」情報をサブシステム部３０へ送出する。  
また、ユーザは、例えば、音声着信に対して「留守選択」のＦマークのキー操作を行ったとする。ホストシステム部１０は、これにより、キーコマンド（Ｓ９）として「留守選択」情報をサブシステム部３０へ送出する。
【００２７】
図３（ｂ）は、サブシステム部３０がキーコマンド（Ｓ９）として「応答する」情報を受けた時の初期画面である。サブシステム部３０は、「応答しました」の表示を行う。また、この時点では、情報通信端末は通話状態に入っており、ユーザが次に対応可能な操作ガイダンスとして、「ボリューム調節」と「終話する」の表示を行う。また、メモリ初期設定（Ｓ３５）も進行しており、画面初期化中のプログレスバーのハッチング表示は、図３（ａ）よりも進んだ状態で表示される。
【００２８】
図３（ｃ）は、サブシステム部３０がキーコマンド（Ｓ９）として「留守選択」を受けた時の表示画面である。サブシステム部３０は、「留守応答中」の表示を行う。また、ユーザが次に対応可能な操作ガイダンスとして、「中断する」の表示を行う。また、メモリ初期設定（Ｓ３５）も進行しており、画面初期化中のプログレスバーのハッチング表示は、図３（ａ）よりも進んだ状態で表示される。
【００２９】
次に、図２を用いて、初期表示（Ｓ３４）およびメモリ初期設定（Ｓ３５）が終了した後の動作について説明する。サブシステム部３０は、メモリ初期設定が終了すると（Ｓ３６でＹＥＳ）、初期化完了ステータスＳ３７をホストシステム部１０へ送出する。  
ホストシステム部１０は、初期化完了ステータスＳ３７を受信すると（Ｓ１０でＹＥＳ）、通常表示を行うために、通常表示制御コマンドＳ１１と高解像度の通常表示データＳ１２をサブシステム部３０へ送出する。  
これを受信したサブシステム部３０のサブＣＰＵ３１は、通常表示データＳ１２をＲＡＭ３５に書き込む。Ｂｉｔｂｌｔ３３は、この通常表示データＳ１２と、先のメモリ初期設定（図２のＳ３５）でＲＡＭ３５に書き込まれているアプリケーションの通常表示データとを高速でＶＲＡＭ３６に転送することにより、この画面データが主表示器に表示される。これにより主表示器に高解像度の通常表示がなされ、本来の精細な通常表示が行われる（Ｓ３８）。
【００３０】
この後、通話等の所定の処理が行われる。そして、表示ＯＦＦ条件、例えば、終話処理が行われると（Ｓ１３で有り）、ホストシステム部１０は、表示ＯＦＦ条件が成立し、ホストインタフェース１８に対して、電源ＯＦＦコマンドＳ１５、照明ＯＦＦコマンドＳ１６、パネルドライバＯＦＦコマンドＳ１７を送出する。
【００３１】
これにより、サブシステム部３０の電源はオフになる。また、照明パネルドライバ２１もオフになる。
【００３２】
このように実施例によれば、主表示器の表示が必要な時だけ、サブシステム部の電源をオンにして省電力化する。これと共に、サブＣＰＵ立ち上がり時の初期化の空白期間の表示を工夫することにより、ユーザが着信音鳴動を聞いてから折り畳み式情報通信端末の蓋を開けて主表示器が見える状態にした時には、すでに初期画面が表示されており、この表示を見て、操作を行うことができ、ユーザビリティを向上することができる。
【図面の簡単な説明】
【００３３】
【図１】本発明の実施例に係る折り畳み式の情報通信端末の構成を示すブロック図。
【図２】本発明の実施例に係る折り畳み式の情報通信端末の動作を示すフローチャート。
【図３】本発明の実施例に係る折り畳み式の情報通信端末の主表示器の初期画面を示す図。
【符号の説明】
【００３４】
１０  ホストシステム部
１１  ホストＣＰＵ
１２  ホストシステムバス
１３  モデム部
１４  ＲＡＭ
１５  副表示部
１６  割込みコントローラ
１７  ＲＯＭ
１８  ホストインタフェース
１９  サブシステム電源制御部
２０  照明パネル制御回路
２１  照明パネルドライバ
３０  サブシステム部
３１  サブＣＰＵ
３２  サブシステムバス
３３  Ｂｉｔｂｌｔ
３４  ＲＯＭ
３５  ＲＡＭ
３６  ＶＲＡＭ
【図１】
2005269018.tif 000003
【図２】
2005269018.tif 000004
【図３】
2005269018.tif 000005